(57)【要約】【課題】  引抜きやプレス等の量産に適した加工方法を採用することができ、安価に製造すること。【解決手段】  各セパレータ保持器４は、隣接する円筒ころ３，３間に、略軸方向に沿って配置する柱部２１と、柱部２１の両サイドに設けた一対のリブ部２２，２２と、を有し、しかも、柱部２１とリブ部２２とは、それぞれ、その断面形状が矩形に形成してある。上面から見ると略Ｈ形となるようにし、その形状が単純化してある。【選択図】  図２
2007078031.tif 000002
【特許請求の範囲】
【請求項１】
外輪及び内輪間に、複数の円筒ころを転動自在に介装し、隣接する円筒ころ間に、セパレータ保持器を配置した円筒ころ軸受に於いて、
前記各セパレータ保持器は、
隣接する円筒ころ間に、略軸方向に沿って配置する柱部と、
当該柱部の両サイドに設けたリブ部と、を有し、
前記柱部とリブ部とは、それぞれ、その断面形状が矩形に形成してあることを特徴とする円筒ころ軸受。
【請求項２】
前記セパレータ保持器は、金属製であることを特徴とする請求項１に記載の円筒ころ軸受。
【請求項３】
前記セパレータ保持器は、引抜き又はプレスにより加工してあることを特徴とする請求項１又は２に記載の円筒ころ軸受。
【請求項４】
外輪及び内輪の両方に、少なくとも１個の鍔を有することを特徴とする請求項１乃至３のいずれか１項に記載の円筒ころ軸受。
【請求項５】
前記セパレータ保持器は、鍔案内であることを特徴とする請求項１乃至４のいずれか１項に記載の円筒ころ軸受。
【請求項６】
請求項１乃至５のいずれか１項に記載の円筒ころを組み立てて製造する円筒ころ軸受の製造方法に於いて、
外輪内径と略等しい内径を有し、断面形状が略Ｌ字状でスペーサの円周方向幅より大きな円周方向幅の切欠きを有する組立冶具を、内輪に同心に配置する工程と、
円筒ころとセパレータ保持器を交互に組立治具の切欠き部分から挿入する工程と、
円筒ころとセパレータ保持器を挿入後に，外輪を挿入しながら組立治具を取り外す工程と、を具備することを特徴とする円筒ころ軸受の製造方法。
【発明の詳細な説明】
【技術分野】
【０００１】
本発明は、一般産業機械等に使用し、セパレータ保持器を備えた円筒ころ軸受及びその製造方法に関する。
【背景技術】
【０００２】
セパレータ保持器を備えたセパレータ保持器付円筒ころ軸受の従来例としては、特許文献１に示すように、外輪および内輪間に複数の円筒ころが配置されたころ軸受において、前記各ころ間にはセパレータ保持器が介装されているとともに、前記各セパレータ保持器における前記各ころの軸方向に沿った移動を規制する手段が設けられている。
【０００３】
従来、この種のセパレータ保持器は、材料に樹脂を用いて射出成形にて製作されている。しかし、近年の使用条件はより過酷となってきており、高温条件下で使用されることが多くなってきている。また、ギヤＢＯＸ等の用途では、極圧添加剤を混入した潤滑油条件下での使用も少なくない。
【０００４】
このようなことから、樹脂製のセパレータ保持器では耐えられない環境においても使用できる材料として、軸受用保持器に広く使用されている高力黄銅等の金属製の保持器が考えられている。
【特許文献１】特開平１１−２８０７６９号公報（第１頁、図１および図３）
【発明の開示】
【発明が解決しようとする課題】
【０００５】
しかしながら、高力黄銅等の金属製のセパレータ保持器は、柱部の断面形状が複雑な為、引抜きやプレス等の量産に優れた加工法を採用することが困難であり、製造コストの高騰を将来するといった問題点がある。
【０００６】
発明は、上述したような事情に鑑みてなされたものであって、引抜きやプレス等の量産に適した加工方法を採用することができ、安価に製造することができる、円筒ころ軸受及びその製造方法を提供することを目的とする。
【課題を解決するための手段】
【０００７】
上記の目的を達成するため、本発明に係る円筒ころ軸受は、外輪及び内輪間に、複数の円筒ころを転動自在に介装し、隣接する円筒ころ間に、セパレータ保持器を配置した円筒ころ軸受に於いて、
前記各セパレータ保持器は、
隣接する円筒ころ間に、略軸方向に沿って配置する柱部と、
当該柱部の両サイドに設けたリブ部と、を有し、
前記柱部とリブ部とは、それぞれ、その断面形状が矩形に形成してあることを特徴とする。
【０００８】
本発明に係る円筒ころ軸受の製造方法は、上記記載の円筒ころを組み立てて製造する円筒ころ軸受の製造方法に於いて、
外輪内径と略等しい内径を有し、断面形状が略Ｌ字状でスペーサの円周方向幅より大きな円周方向幅の切欠きを有する組立冶具を、内輪に同心に配置する工程と、
円筒ころとセパレータ保持器を交互に組立治具の切欠き部分から挿入する工程と、
円筒ころとセパレータ保持器を挿入後に、外輪を挿入しながら組立治具を取り外す工程と、を具備することを特徴とする。
【０００９】
好適には、前記セパレータ保持器は、金属製である。
【００１０】
また、好適には、前記セパレータ保持器は、引抜き又はプレスにより加工してある。
【００１１】
さらに、好適には、外輪及び内輪の両方に、少なくとも１個の鍔を有する。
【００１２】
さらに、好適には、前記セパレータ保持器は、鍔案内である。
【発明の効果】
【００１３】
本発明によれば、引抜きやプレス等の量産に適した加工方法を採用することができ、安価に製造することができる。
【発明を実施するための最良の形態】
【００１４】
以下、本発明の実施の形態に係る円筒ころ軸受及びその製造方法を図面を参照しつつ説明する。
【００１５】
本実施の形態は、大略的には、柱部の断面形状をほぼ矩形とし、上面から見るとＨ形となるようにし、また、柱部の両サイドに設けたリブ部の断面形状もすべてほぼ矩形とし、その形状を単純化した。このように、形状を単純化したことにより、引抜きやプレス等の量産に適した加工方法を採用することができ、安価に製造することができる。
【００１６】
図１は、本発明の実施の形態に係る円筒ころ軸受の正面図である。
【００１７】
図２（ａ）は、図１に示した円筒ころ軸受の要部の断面図であり、（ｂ）は、（ａ）のｂ−ｂ線に沿った断面図である。
【００１８】
図３は、セパレータ保持器の斜視図である。
【００１９】
図４（ａ）は、組立工程を示す円筒ころ軸受の要部の断面図であり、（ｂ）は、組立工程を示す円筒ころ軸受の要部の分解断面図である。
【００２０】
図１に示すように、本実施の形態に係る円筒ころ軸受では、外輪１および内輪２間に、複数の円筒ころ３が配置してある。隣接する円筒ころ３，３間に、多数のセパレータ保持器４が配置してある。
【００２１】
図２に示すように、外輪１は、片鍔１１を有し、反対側に、鍔輪１２を装着するようになっている。内輪２は、両鍔１３，１３を有している。
【００２２】
本実施の形態では、各セパレータ保持器４は、隣接する円筒ころ３，３間に、略軸方向に沿って配置する柱部２１と、柱部２１の両サイドに設けた一対のリブ部２２，２２と、を有し、しかも、柱部２１とリブ部２２とは、それぞれ、その断面形状が矩形に形成してある。上面から見ると略Ｈ形となるようにし、その形状を単純化した。このように、形状を単純化したことにより、引抜きやプレス等の量産に適した加工方法を採用することができ、安価に製造することができる。なお、セパレータ保持器４は、金属製であり、例えば、高力黄銅製である。また、リブ部２２の周方向の幅は、図３に示すように、例えば、ｄ１に設定してある。
【００２３】
保持器として高力黄銅製等の金属製保持器を用いることは、転がり軸受が使用される機械装置が歯車をも構成要素とし、潤滑油に、イオウ系極圧添加剤、リン系極圧添加剤及びイオン・リン系添加剤が含有されるギヤ油が用いられる場合に特に有効である。前記機械装置が１２０°以上の高温下で使用されたり、１０年以上の長期間にわたって使用される一般作業機械や風車等の場合には、これらの添加剤が圧力や温度等の影響でラジカルを発生し、樹脂製保持器の場合にはその吸着により樹脂を劣化させるのに対し、黄銅製保持器等の金属製保持器はこのような影響を受けないからである。前記添加剤としては、イオウ系極圧添加剤としてジフェニルジサルファイド、ジドデシルサルファイド、ジベンジルサルファイド等がリン系極圧添加剤として、トリラウレルフォスフェート、ジラウレルフォスフェート、ラウレル酸フォスフェート等が挙げられる。具体的には、エクソン・モービル社製のＭｏｂｉｌｇｅａｒ ＳＨＣ ＸＭＰ ３２０（商品名）等のモービルＳＨＣシリーズの潤滑油や他社の同等の添加剤を含有した潤滑油を用いた場合に、保持器として高力黄銅製等の金属製保持器を用いることが望ましい。なお、前記モービルＳＨＣシリーズ等の前記添加剤を含有する潤滑油は、ギヤの耐磨耗性能等を向上する優れた潤滑油であり、金属製保持器を用いた場合は、他の潤滑油より優れた潤滑特性を示す。
【００２４】
また、各セパレータ保持器４の軸方向の動きは、円筒ころ３の両端面により規制され、半径方向の動きは、外輪１の片鍔１１及び鍔輪１２の内径面と、内輪２の両鍔１３，１３の外径面とにより規制される。従って、分解されることなく、スムーズに回転することが可能である。
【００２５】
なお、セパレータ保持器４の半径方向の動きを規制するには、内輪及び軌道輪とも、少なくとも１個の鍔があれば良いが、セパレータ保持器４が傾いた場合の規制には、実施の形態のように、外・内輪１，２とも、両方に鍔１１，１２，１３があるほうが安定する。
【００２６】
次に、図４を参照しつつ、円筒ころ軸受の組立方法（製造方法）について説明する。
【００２７】
円筒ころ軸受を組立てる際、内輪２と組立治具３０を同心に配置し、円筒ころ３と、セパレータ保持器４とを、交互に組立治具３０の切欠き部３１を通して挿入する。なお、切欠き部３１の幅は、ｄ２であり、リブ部２２の幅ｄ１より大きく設定してある。
【００２８】
全ての円筒ころ３とセパレータ保持器４とを挿入すると、最後に、外輪１を挿入しながら、組立治具３０を取り外す。
【００２９】
すなわち、外輪１の内径と略等しい内径を有し、断面形状が略Ｌ字状でスペーサの円周方向幅より大きな円周方向幅の切欠き部３１を有する組立冶具３０を、内輪に同心に配置する工程と、円筒ころ３とセパレータ保持器４を交互に組立治具の切欠き部分から挿入する工程と、円筒ころ３とセパレータ保持器４を挿入後に，外輪１を挿入しながら組立治具３０を取り外す工程と、を具備する。
【００３０】
なお、本発明は、上述した実施の形態に限定されず、種々変形可能である。
【００３１】
上記実施の形態では、内輪２に筒鍔１３を有し、外輪１に片鍔１１と鍔輪１２を有するタイプの円筒ころ軸受について説明したが、外輪１に両鍔を有し、内輪２に片鍔と鍔輪を有するＮＵＰ形の円筒ころ軸受についても適用することができる。
【図面の簡単な説明】
【００３２】
【図１】本発明の実施の形態に係る円筒ころ軸受の正面図である。
【図２】（ａ）は、図１に示した円筒ころ軸受の要部の断面図であり、（ｂ）は、（ａ）のｂ−ｂ線に沿った断面図である。
【図３】セパレータ保持器の斜視図である。
【図４】（ａ）は、組立工程を示す円筒ころ軸受の要部の断面図であり、（ｂ）は、組立工程を示す円筒ころ軸受の要部の分解断面図である。
【符号の説明】
【００３３】
１  外輪
２  内輪
３  円筒ころ
４  セパレータ保持器
１１  片鍔
１２  鍔輪
１３  両鍔
２１  柱部
２２  リブ部
３０  組立治具
３１  切欠き部
【図１】
2007078031.tif 000003
【図２】
2007078031.tif 000004
【図３】
2007078031.tif 000005
【図４】
2007078031.tif 000006